(57)【要約】【課題】金属製のボールチェーンにもフェイルセーフ機能を設けることを可能としたボールチェーンを提供する。【解決手段】金属ボール１６ａを金属リンク軸１６ｂで連結した金属チェーン部９ａと、金属チェーン部９ａの各端部１７，１８を連結する樹脂チェーン部９ｂとを備え、樹脂チェーン部９ｂは、フェイルセーフ機能を実現する連結樹脂ボール２１と、各端部１７，１８を構成する金属ボール１６ａに連結される樹脂リンク軸部２７を備え、樹脂リンク軸部２７は、金属ボール１６ａの貫通孔１６ｄに係止される抜け止め部２７ａを備える。抜け止め部２７ａは、熱カシメによって膨径された成形部である。【選択図】図４
2020176645.tif 000002
【特許請求の範囲】
【請求項１】
金属ボールを金属リンク軸で連結した金属チェーン部と、
前記金属チェーン部の各端部を連結する樹脂チェーン部とを備え、
前記樹脂チェーン部は、樹脂ボールと、前記樹脂ボールと前記金属チェーン部の各端部を構成する前記金属ボールまたは前記金属リンク軸とを連結する樹脂リンク軸部を備え、
前記樹脂リンク軸部は、前記金属ボールまたは前記金属リンク軸と連結する連結部を備える
ボールチェーン。
【請求項２】
前記連結部は、前記金属ボールの貫通孔に係止される抜け止め部である
請求項１に記載のボールチェーン。
【請求項３】
前記樹脂ボールは、フェイルセーフ機能を実現する連結樹脂ボールである
請求項１または２に記載のボールチェーン。
【請求項４】
前記抜け止め部は、熱カシメによって膨径された成形部である
請求項２に記載のボールチェーン。
【請求項５】
前記抜け止め部は、前記金属ボールの内面形状であって、前記貫通孔の周囲の形状に対応した球欠形状を備えている
請求項２に記載のボールチェーン。
【請求項６】
前記貫通孔の周縁部が前記樹脂リンク軸部に食い込んでいる
請求項２に記載のボールチェーン。
【請求項７】
前記連結部は、前記金属リンク軸のフランジ部が抜け止めされた状態で嵌合される嵌合凹部を備える
請求項１に記載のボールチェーン。
【請求項８】
前記ボールチェーンは、遮蔽材を昇降する昇降装置の操作コードであって、
前記昇降装置は、前記ボールチェーンが掛装されるプーリーを備え、
前記金属チェーン部と前記樹脂チェーン部とに跨る部分における前記金属ボールと前記樹脂ボールとのピッチは、前記金属チェーン部における金属ボールのピッチの整数倍である
請求項１ないし７のうち何れか１項に記載のボールチェーン。
【発明の詳細な説明】
【技術分野】
【０００１】
本発明は、ボールチェーンに関する。
【背景技術】
【０００２】
横型ブラインドのスラットやロールスクリーンにおけるスクリーンの昇降装置には、操作コードとしてボールチェーンが用いられている。例えば、特許文献１には、樹脂製の紐に対して樹脂製のボールを等間隔に形成したボールチェーンが記載されている。また、操作コードとして用いられるボールチェーンの中には、樹脂製ではなく金属製のボールチェーンもある。金属製のボールチェーンは、複数の金属ボールを、金属連結軸で連結して構成されることが多い。
【先行技術文献】
【特許文献】
【０００３】
【特許文献１】特許第５６１３３８７号公報
【発明の概要】
【発明が解決しようとする課題】
【０００４】
ところで、ボールチェーンにおいて、金属製のボールチェーンと樹脂製のボールチェーンとを連結することが必要とされることがある。例えば、特許文献１の樹脂製のボールチェーンは、フェイルセーフ機能を備えているが、金属製のボールチェーンにおいて、フェイルセーフ機能が余り知られていない。また、デザイン上の観点からも、金属製のボールチェーンと樹脂製のボールチェーンとを連結することが望まれることもある。
【０００５】
本発明は、上記課題を解決するためになされたものであり、その目的は、金属製のチェーン部と樹脂製のチェーン部とを連結可能としたボールチェーンを提供することにある。
【課題を解決するための手段】
【０００６】
上記課題を解決するためのボールチェーンは、金属ボールを金属リンク軸で連結した金属チェーン部と、前記金属チェーン部の各端部を連結する樹脂チェーン部とを備え、前記樹脂チェーン部は、樹脂ボールと、前記樹脂ボールと前記金属チェーン部の各端部を構成する前記金属ボールまたは前記金属リンク軸とを連結する樹脂リンク軸部を備え、前記樹脂リンク軸部は、前記金属ボールまたは前記金属リンク軸と連結する連結部を備える。
【０００７】
上記ボールチェーンにおいて、例えば、前記連結部は、前記金属ボールの貫通孔に係止される抜け止め部である。
上記ボールチェーンにおいて、前記樹脂ボールは、フェイルセーフ機能を実現する連結樹脂ボールとしてもよい。
【０００８】
上記ボールチェーンにおいて、前記抜け止め部は、熱カシメによって膨径された成形部としてもよい。
上記ボールチェーンにおいて、前記抜け止め部は、前記金属ボールの内面形状であって、前記貫通孔の周囲の形状に対応した球欠形状を備えていてもよい。
【０００９】
上記ボールチェーンにおいて、前記貫通孔の周縁部が樹脂リンク軸部に食い込むようにしてもよい。
上記ボールチェーンにおいて、前記連結部は、前記金属リンク軸のフランジ部が抜け止めされた状態で嵌合される嵌合凹部を備えるようにしてもよい。
【００１０】
上記ボールチェーンにおいて、前記ボールチェーンは、遮蔽材を昇降する昇降装置の操作コードであって、前記昇降装置は、前記ボールチェーンが掛装されるプーリーを備え、前記金属チェーン部と前記樹脂チェーン部とに跨る部分における前記金属ボールと前記樹脂ボールとのピッチは、前記金属チェーン部における金属ボールのピッチの整数倍としてもよい。
【発明の効果】
【００１１】
本発明によれば、金属製のチェーン部と樹脂製のチェーン部とを連結することができる。
【図面の簡単な説明】
【００１２】
【図１】横型ブラインドの正面図。
【図２】（ａ）は、第１実施形態におけるボールチェーンの要部正面図、（ｂ）は、ボールチェーンの要部拡大断面図。
【図３】ボールチェーンの第１端部と第２端部とを連結する連結部の分解斜視図。
【図４】金属チェーン部と樹脂チェーン部との連結部分を示す断面図。
【図５】（ａ）は、金属チェーン部と樹脂チェーン部における金属ボールのピッチを示す図、（ｂ）は、プーリーにボールチェーンが掛装された状態を示す図。
【図６】（ａ）は、変形例となるリンク軸部の断面図、（ｂ）は、ボール部に取り付けられた状態の断面図。
【図７】第１樹脂コネクタと第２樹脂コネクタの変形例を示す断面図。
【発明を実施するための形態】
【００１３】
以下、本発明を適用したボールチェーンを操作コードに用いた横型ブラインドについて、図面を参照して説明する。
図１に示すように、横型ブラインドは、ボトムレールおよびスラットの昇降装置が配設されるヘッドボックス１から吊下支持されるラダーテープ２に、遮蔽材としての多数段のスラット３が支持され、そのラダーテープ２の下端にボトムレール４が取着されている。
【００１４】
スラット３には前記ラダーテープ２の支持位置近傍で昇降コード５が挿通され、その昇降コード５の下端にボトムレール４が吊下支持されている。昇降コード５の上端はヘッドボックス１内に配設される支持部材６に回転可能に支持された巻取軸７に巻着されている。
【００１５】
ヘッドボックス１の一端には、昇降装置としてのプーリー８が回転可能に支持され、そのプーリー８に操作コードとしての無端状のボールチェーン９が掛装されている。そして、ボールチェーン９を操作してプーリー８を正逆方向に回転させると、ギヤボックス１０及び昇降軸１２ａ等を介して巻取軸７が回転され、昇降コード５が巻取軸７に巻き取られあるいは巻戻されて、スラット３及びボトムレール４が昇降される。
【００１６】
また、プーリー８を回転させると、ギヤボックス１０、チルトユニット１１、チルト軸１２ｂ等を介してチルトドラム１３が回動され、ラダーテープ２を介して各スラット３が回動されるようになっている。なお、ラダーテープ２は、ラダーコードであってもよい。
【００１７】
次に、ボールチェーン９の具体的構成を説明する。図２（ａ）および（ｂ）に示すように、ボールチェーン９は、横型ブラインドの操作コードであって、フェイル操作時に昇降装置や人物などを保護するフェイルセーフ機能を備えている。ボールチェーン９は、ほぼ全体を金属チェーン部９ａで構成し、一部に、フェイルセーフ機能を実現する樹脂チェーン部９ｂが設けられている。
【００１８】
金属チェーン部９ａは、多数の金属ボール１６ａと、互いに隣り合う金属ボール１６ａ同士を連結する金属リンク部としての金属リンク軸１６ｂとを備えている。金属ボール１６ａは、ステンレスなどの金属板をかしめることにより球体に成形されており、相対する２つの頂部には、凹部同士が突き合わせて構成した貫通孔１６ｄが構成されている。金属ボール１６ａのボール径は、数ミリ程度、好ましくは４．５ｍｍである。金属リンク軸１６ｂは、直線状部材であって、各端部には、フランジ部１６ｃを備えている。金属リンク軸１６ｂは、展開状態の金属ボール１６ａの凹部に係合され、その後かしめられることによって球体形状とされ、さらに、フランジ部１６ｃが金属ボール１６ａの内側に配置され、金属リンク軸１６ｂの金属ボール１６ａに対する抜け止めとなる。互いに隣接する金属ボール１６ａは、金属リンク軸１６ｂによって連結され、１本のボールチェーン９となる。
【００１９】
金属チェーン部９ａは、第１端部１７と第２端部１８を備えている。第１端部１７と第２端部１８は、金属ボール１６ａで構成されている。そして、第１端部１７の金属ボール１６ａと第２端部１８の金属ボール１６ａとは、フェイルセーフ機能を実現する樹脂チェーン部９ｂで連結される。
【００２０】
図３に示すように、樹脂チェーン部９ｂは、第１端部１７の金属ボール１６ａと連結される第１樹脂コネクタ２２ａと、第２端部１８の金属ボール１６ａと連結される第２樹脂コネクタ２２ｂと、第１樹脂コネクタ２２ａと第２樹脂コネクタ２２ｂとを連結する連結部材２３とを備えている。なお、第１樹脂コネクタ２２ａと第２樹脂コネクタ２２ｂとは同じ構成を有するため、まとめてコネクタ２２ともいう。コネクタ２２および連結部材２３は、ポリエステル、ポリプロピレン、ポリアセタールなどの合成樹脂材料による成形体である。
【００２１】
コネクタ２２は、球を１つの平面で切りとった球欠形状を有した球欠部２６と、球欠部２６の頂部より導出された樹脂リンク軸部２７と、樹脂リンク軸部２７とは反対側の底面部に構成された嵌合突部２８とを備える。一例として、樹脂チェーン部９ｂは、樹脂リンク軸部２７を構成する樹脂コードに対して球欠部２６および嵌合突部２８を成形機で充実体を成形することによって製造されている。例えば、樹脂リンク軸部２７は、樹脂繊維を編んだ編み紐、樹脂繊維を撚った撚り紐である。球欠部２６および嵌合突部２８は、樹脂リンク軸部２７の端部に対してアウトサート成形により成形される。また、樹脂リンク軸部２７、球欠部２６および嵌合突部２８は、一体の樹脂成型品であってもよい。
【００２２】
球欠部２６は、球体の１／３程度の位置で切り取った形状を有している。図４に示すように、樹脂リンク軸部２７は、基端部が球欠部２６の頂部に植設され、その先端部には、抜け止め部２７ａが設けられている。樹脂リンク部としての樹脂リンク軸部２７は、可撓性を有しており、隣接する金属ボール１６ａの貫通孔１６ｄに係合される。抜け止め部２７ａは、金属ボール１６ａと連結される連結部となる。抜け止め部２７ａは、樹脂リンク軸部２７の端部を熱カシメなどの成形手段によって成形された成形部であって、樹脂リンク軸部２７に対して貫通孔１６ｄより大きくなるように膨径した膨径部である。抜け止め部２７ａは、樹脂リンク軸部２７を構成する紐で形成した結び目などであってもよい。さらに、抜け止め部２７ａは、樹脂リンク軸部２７に対してアウトサート成形によって設けてもよい。
【００２３】
また、樹脂リンク軸部２７の太さ（直径）は、貫通孔１６ｄの直径よりも大きく形成され、金属ボール１６ａが閉じられたときに、貫通孔１６ｄの周縁部が樹脂リンク軸部２７に食い込むようにされている。例えば、貫通孔１６ｄは、その直径が１．２ｍｍ程度であって、樹脂リンク軸部２７の太さ（直径）は、その１．８ｍｍ程度である。
【００２４】
図３に示すように、嵌合突部２８は、球欠部２６の平坦な底面部に対して丸軸状に突出形成されている。嵌合突部２８の先端部の外周面上には、丸軸の中心に対し線対称状に膨径部２９が形成され、その膨径部２９の中間には断面半円状の凹部３０がそれぞれ形成されている。
【００２５】
連結部材２３は、全体が平行な２つの平面にはさまれた球台形状を有している。連結部材２３は、ポリエステル、ポリプロピレン、ポリアセタールなどの合成樹脂材料による成形体である。連結部材２３は、高さ方向に貫通孔を備えており、貫通孔は、第１樹脂コネクタ２２ａ側に臨む第１平面に嵌合凹部３２を構成するとともに、第２樹脂コネクタ２２ｂ側に臨む第２平面にも嵌合凹部３２を構成している。
【００２６】
各嵌合凹部３２は、嵌合突部２８の膨径部２９を含む先端部を挿入可能とした俵形に形成されている。また、第１樹脂コネクタ２２ａ側の嵌合凹部３２に対して第２樹脂コネクタ２２ｂ側の嵌合凹部３２は、その俵形の方向が円筒の中心に対し互いに９０度回転した形状となっている。
【００２７】
連結部材２３の内部において、貫通孔は、嵌合突部２８の先端部を回動可能とする径を備えた円形孔３３が構成されている。第１樹脂コネクタ２２ａ側の嵌合凹部３２の俵形の短軸方向の開口縁には、第１樹脂コネクタ２２ａにおける膨径部２９の円形孔３３からの抜けを妨げる係止部３４を備えている。また、第２樹脂コネクタ２２ｂ側の嵌合凹部３２の俵形の短軸方向の開口さらには、第２樹脂コネクタ２２ｂにおける嵌合突部２８の膨径部２９の円形孔３３からの抜けを妨げる係止部３４を備えている。円形孔３３の内周面には、凹部３０に係合する突起３５がそれぞれ形成されている。凹部３０および突起３５は、位置決め手段として機能する。
【００２８】
第１樹脂コネクタ２２ａの嵌合突部２８と連結部材２３の嵌合凹部３２とを連結するには、嵌合突部２８を嵌合凹部３２に挿入し、嵌合突部２８を連結部材２３に対し９０度一方向に回動する。また、第２樹脂コネクタ２２ｂの嵌合突部２８と連結部材２３の嵌合凹部３２とを連結するにも、嵌合突部２８を嵌合凹部３２に挿入し、嵌合突部２８を連結部材２３に対し９０度一方向に回動する。すると、各嵌合凹部３２の凹部３０が円形孔３３内の突起３５に係合して位置決めされる。このように、連結部材２３に対して第１樹脂コネクタ２２ａおよび第２樹脂コネクタ２２ｂに連結されることによって、連結部材２３と連結部材２３の両側に位置する２つの球欠部２６によって連結樹脂ボール２１が構成される。そして、ボールチェーン９は、金属チェーン部９ａの第１端部１７および第２端部は、樹脂チェーン部９ｂの連結樹脂ボール２１を通じて連結されることになる。連結部材２３に第１樹脂コネクタ２２ａおよび第２樹脂コネクタ２２ｂが連結された状態では、連結樹脂ボール２１が他の金属ボール１６ａとほぼ同じ大きさと形状を備えている、または、若干大きい形状を備えていることになる。そして、無端状のボールチェーン９が構成される。
【００２９】
図５（ａ）および（ｂ）に示すように、プーリー８は、ボールチェーン９の金属ボール１６ａが係合される凹部４０が周回方向に設けられている。金属チェーン部９ａにおいて、金属ボール１６ａは、一定間隔に設けられており、隣接する金属ボール１６ａの中心間の距離であるピッチＰ１を有している。金属チェーン部９ａと樹脂チェーン部９ｂとに跨る部分において、連結樹脂ボール２１とその両側の金属ボール１６ａとのピッチＰ２は、ピッチＰ１の２倍となるように設けられている。樹脂リンク軸部２７は、ピッチＰ２がピッチＰ１の２倍となる長さに形成されている。これは、換言すると、連結樹脂ボール２１に対して隣接する金属ボール１６ａまでの間隔は金属ボール１６ａを１つ分飛ばした長さに相当する。これにより、連結樹脂ボール２１が凹部４０に係合されているとき、その両側の凹部４０には何も係合されず、さらにその隣の凹部４０に金属ボール１６ａが係合される。そして、ボールチェーン９はプーリー８に対し制限なく周回可能となる。
【００３０】
次に、以上のように構成された第１実施形態において、ボールチェーン９を備えた横型ブラインドの作用について説明する。連結部材２３に第１樹脂コネクタ２２ａおよび第２樹脂コネクタ２２ｂが連結された状態では、第１樹脂コネクタ２２ａおよび第２樹脂コネクタ２２ｂにおける各嵌合突部２８の膨径部２９が係止部３４に係止されて、円形孔３３内に保持される。この係止状態は、膨径部２９の凹部３０に突起３５が係合されることで位置決めされる。この保持力は、通常のスラット昇降操作及びスラット角度調節操作時にボールチェーン９に作用する通常の引張り力では、嵌合突部２８が嵌合凹部３２から外れることがないように設定されている。そして、ボールチェーン９に通常の引張り力を超える大きな引張り力が作用したときに限り、連結部材２３の係止部３４の合成樹脂の弾性により、膨径部２９により嵌合凹部３２が押し広げられて、嵌合突部２８が嵌合凹部３２から外れる。
【００３１】
以上のような実施形態は、以下のように列挙する効果を得ることができる。
（１−１）金属ボール１６ａに対して樹脂チェーン部９ｂを樹脂リンク軸部２７によって接続することができる。
【００３２】
（１−２）ボールチェーン９は、樹脂チェーン部９ｂの長さが金属ボール１６ａの３つ分の長さであって、金属チェーン部９ａに対して極めて短いので、全体として金属調の意匠低下が抑えられる。
【００３３】
（１−３）金属チェーン部９ａの第１端部１７および第２端部１８と樹脂チェーン部９ｂの樹脂リンク軸部２７との連結部分は、樹脂リンク軸部２７に抜け止め部２７ａによって貫通孔１６ｄからの抜け止めがされる。
【００３４】
（１−４）樹脂チェーン部９ｂにおいて、連結部材２３に対してコネクタ２２を連結することで、ボールチェーン９のフェイルセーフ機能を実現することができる。
（１−５）樹脂リンク軸部２７は、貫通孔１６ｄの周縁部が食い込むことで、樹脂リンク軸部２７が軸線方向に変位してしまうことも抑えることができる。
【００３５】
（１−６）金属チェーン部９ａと樹脂チェーン部９ｂとに跨る部分における金属ボール１６ａと連結樹脂ボール２１とのピッチは、金属チェーン部９ａにおける金属ボール１６ａのピッチの２倍である。したがって、ボールチェーン９はプーリー８に対し制限なく周回可能となる。
【００３６】
なお、以上のような実施形態は、さらに、以下のように適宜変更して実施することもできる。
・図７は、第１樹脂コネクタ２２ａと第２樹脂コネクタ２２ｂの変形例であって、第１端部１７の金属ボール１６ａと連結される第１樹脂コネクタ４１ａと、第２端部１８の金属ボール１６ａと連結される第２樹脂コネクタ４１ｂとを備えている。なお、第１樹脂コネクタ４１ａと第２樹脂コネクタ４１ｂとは同じ構成を有するため、まとめてコネクタ４１ともいう。コネクタ４１は、連結部材２３と連結するための球欠部２６と嵌合突部２８はコネクタ２２と同じ構成を有しており、上述の連結部材２３と同じ構成のものが用いられる。コネクタ４１は、金属ボール１６ａとの連結側の構成がコネクタ２２と異なる。
【００３７】
コネクタ４１は、金属ボール１６ａとの連結側に、金属ボール１６ａと連結される連結部としての嵌合凹部４２を備えている。嵌合凹部４２は、樹脂リンク軸部２７の先端部に、樹脂リンク軸部２７より膨径した膨径部によって構成されている。この膨径部は、樹脂リンク軸部２７の端部に対してアウトサート成形により成形される。また、樹脂リンク軸部２７、球欠部２６および膨径部は、一体の樹脂成型品であってもよい。
【００３８】
嵌合凹部４２には、金属リンク軸１６ｂのフランジ部１６ｃが圧入される。嵌合凹部４２は、開口端より内側に張り出した係止部４３を備え、係止部４３の内側は、フランジ部１６ｃよりも小径な貫通孔が構成されている。嵌合凹部４２には、係止部４３を構成する樹脂を変形させるようにして、フランジ部１６ｃが内部に圧入される。嵌合凹部４２に圧入されたフランジ部１６ｃは、内部でがたつきを有していても有していなくてもよい。がたつきを有している方が、当該部分でもプーリー８の形状に合わせて撓み易くなる。
【００３９】
なお、コネクタ４１は、全体が一体の樹脂成型品であってもよいし、球欠部２６と嵌合凹部４２が紐やコードなどの可撓性を有する樹脂リンク軸部２７に対してアウトサート成形で設けられたものでもよい。
【００４０】
・連結樹脂ボール２１とその両側の金属ボール１６ａとのピッチＰ２は、金属ボール１６ａのピッチＰ１と同じであってもよいし、プーリー８の凹部４０と係合可能であれば、３倍以上（整数倍）であってもよい。ボールチェーン９はプーリー８に対し制限なく周回可能としないのであれば、連結樹脂ボール２１とその両側の金属ボール１６ａとのピッチＰ２は、金属ボール１６ａのピッチＰ１の整数倍でなくてもよい。
【００４１】
・抜け止め部２７ａは、図６のように構成することもできる。図６（ａ）および（ｂ）に示す抜け止め部２７ａは、金属ボール１６ａの内面形状であって、貫通孔１６ｄの周囲の形状に対応した球欠形状を備えている。これにより、抜け止め部２７ａは、金属ボール１６ａの内面に沿って移動しにくくできる。
【００４２】
・樹脂リンク軸部２７の太さ（直径）は、貫通孔１６ｄの直径より小さくてもよい。すなわち、貫通孔１６ｄの周縁部が樹脂リンク軸部２７に食い込んでいなくてもよい。これにより、金属ボール１６ａに対して樹脂リンク軸部２７が動きやすくなる。
【００４３】
・デザイン上の観点から、連結樹脂ボール２１を単なる樹脂ボールにして、単に、金属チェーン部９ａと樹脂チェーン部９ｂとが連結されたボールチェーンとしてもよい。この場合、樹脂ボールは、複数個連なっていてもよい。
【００４４】
・コネクタ２２および連結部材２３は、表面が金属光沢を有するように塗装したり、めっき処理を施してもよい。
・樹脂チェーン部９ｂは、第１コネクタと樹脂リンク軸部２７の抜け止め部２７ａとの間に、さらにピッチＰ１を有する樹脂ボールを設けるようにして、長くしてもよい。
【００４５】
・金属チェーン部９ａと樹脂チェーン部９ｂとが交互に設けられるようなボールチェーンであってもよい。すなわち、ボールチェーンの中には、金属チェーン部９ａと樹脂チェーン部９ｂとが複数ずつ配置されていてもよい。これにより、デザインを多様化することができる。
【００４６】
・ボールチェーン９を用いる遮蔽装置としては、横型ブラインドだけでなく、ロールスクリーンや縦型ブラインドなどであってもよく、ボールチェーン９は、これらの遮蔽装置の操作コードにも適用可能である。
【符号の説明】
【００４７】
１…ヘッドボックス、２…ラダーテープ、３…スラット、４…ボトムレール、５…昇降コード、６…支持部材、７…巻取軸、８…プーリー、９…ボールチェーン、９ａ…金属チェーン部、９ｂ…樹脂チェーン部、１０…ギヤボックス、１１…チルトユニット、１２ａ…昇降軸、１２ｂ…チルト軸、１３…チルトドラム、１６ａ…金属ボール、１６ｂ…金属リンク軸、１６ｃ…フランジ部、１６ｄ…貫通孔、１７…第１端部、１８…第２端部、２１…連結樹脂ボール、２２…コネクタ、２２ａ…第１樹脂コネクタ、２２ｂ…第２樹脂コネクタ、２３…連結部材、２６…球欠部、２７…樹脂リンク軸部、２７ａ…抜け止め部、２８…嵌合突部、２９…膨径部、３０…凹部、３２…嵌合凹部、３３…円形孔、３４…係止部、３５…突起、４０…凹部、４１ａ…第１樹脂コネクタ、４１ｂ…第２樹脂コネクタ、４２…嵌合凹部、４３…係止部。
【図１】
2020176645.tif 000003
【図２】
2020176645.tif 000004
【図３】
2020176645.tif 000005
【図４】
2020176645.tif 000006
【図５】
2020176645.tif 000007
【図６】
2020176645.tif 000008
【図７】
2020176645.tif 000009